(57)【要約】【課題】  エンジン室の空スペースを増やし部品のレイアウトに自由度を持たせるとともに、エンジンへの浸水を確実に防止できる小型ジェット推進艇を提供すること。【解決手段】  小型ジェット推進艇１０におけるステップ台１３の左右両側に側壁部１４ａ，１４ｂを形成し、その内部にそれぞれウォーターロック装置３６，３７を配置した。そして、両ウォーターロック装置３６，３７をステップ台１３の下方に配置された接続管３８ａ，３８ｂで接続した。また、ウォーターロック装置３７の前端部に排気管４０を接続し、その排気管４０を前方に延ばしたのちに上方から後方に向って延ばして側壁部１４ｂ内におけるウォーターロック装置３７の上方を通過させ、さらに、その端部をステップ台１３の下方に向って延ばした。さらに、ウォーターロック装置３６，３７における接続管３８ａ，３８ｂが接続された部分よりも下方の部分を、細管３９ａ，３９ｂで接続した。【選択図】  図２
2005119460.tif 000002
【特許請求の範囲】
【請求項１】
運転者が船体の後部に設けられたステップ台に乗った状態で、操舵ハンドル等の操作部を操作するように構成された小型ジェット推進艇であって、
前記ステップ台における前記船体の左右両側に対応する部分に上方に延びる側壁部が形成され、その両側壁部の少なくとも一方の側壁部の内部にエンジンの排気口から船外に排気される排気ガスを通過させるためのウォーターロック装置が配置されていることを特徴とする小型ジェット推進艇。
【請求項２】
前記ウォーターロック装置における前記排気ガスの流れの下流側に接続される排気管が、前記ウォーターロック装置の前端部から一旦前方に延びたのちに上方から後方に向って曲がって延び、前記側壁部内における前記ウォーターロック装置の上方を通過し、さらに、ステップ台の下方に向って延びている請求項１に記載の小型ジェット推進艇。
【請求項３】
前記両側壁部の内部にそれぞれウォーターロック装置を設けるとともに、両ウォーターロック装置を前記ステップ台の下方に配置された接続管で接続した請求項１または２に記載の小型ジェット推進艇。
【請求項４】
前記接続管を、船体の前後方向に並んで設けられた複数の管で構成した請求項３に記載の小型ジェット推進艇。
【請求項５】
前記両ウォーターロック装置における前記接続管が接続された部分よりも下方の部分を、細管で接続した請求項３または４のうちのいずれか一つに記載の小型ジェット推進艇。
【発明の詳細な説明】
【技術分野】
【０００１】
本発明は、運転者が船体の後部に設けられたステップ台に乗った状態で、操舵ハンドル等の操作部を操作するように構成された小型ジェット推進艇に関する。
【背景技術】
【０００２】
従来から、運転者が船体の後部に設けられたステップ台に乗った状態で、運転操作をすることにより、ジェットポンプを駆動させて船底から吸い込んだ海水を船尾後方に噴射させて水上を走行する小型ジェット推進艇がある。この小型ジェット推進艇のエンジンは、船体の前後方向に長手方向を沿わせて設けられたクランク軸にあわせて配置されている。そして、エンジンは吸気口と排気口とを有する複数の気筒を備えており、吸気口に吸気装置が接続され、排気口に排気装置が接続されている（例えば、特許文献１参照）。
【０００３】
この小型ジェット推進艇の排気装置は、エンジンの排気口に連結され船体の前部側に延びる排気管と、排気管に接続された排気マフラーと、排気マフラーに接続され排気ガスを大気中に放出する放出管とを備えている。そして、排気管と排気マフラーとはエンジン室内に設置されている。また、エンジンの排気口に連結された排気管やウォーターロック装置等からなる排気装置が船体の後部に延びるように設置された小型ジェット推進艇もある。この場合も、排気装置の大部分は、エンジン室内に設置されている。
【特許文献１】実公平７−５２１９号公報
【発明の開示】
【０００４】
しかしながら、前述した小型ジェット推進艇では、排気装置を構成する殆どの部分がエンジン室内に設置されているため、エンジン室内の空スペースが少なくなり、エンジン室内に設置される他の部品のレイアウトに対する制約が多くなるという問題がある。また、小型ジェット推進艇では、排気装置の構造を上下に曲がりくねった複雑な形状にして、排気装置からエンジン側に、海水（海、湖、川などの水もあるが、ここでは海水と記す。）が浸入することを防止することが好ましいが、前述した小型ジェット推進艇では、この海水の浸入防止が十分ではないという問題がある。
【０００５】
本発明は、上記問題に対処するためになされたもので、その目的は、エンジン室内の空スペースを増やすことにより部品のレイアウトに自由度を持たせるとともに、エンジンへの浸水を確実に防止できる小型ジェット推進艇を提供することである。
【０００６】
上記の目的を達成するため、本発明に係る小型ジェット推進艇の構成上の特徴は、運転者が船体の後部に設けられたステップ台に乗った状態で、操舵ハンドル等の操作部を操作するように構成された小型ジェット推進艇であって、ステップ台における船体の左右両側に対応する部分に上方に延びる側壁部が形成され、その両側壁部の少なくとも一方の側壁部の内部にエンジンの排気口から船外に排気される排気ガスを通過させるためのウォーターロック装置が配置されていることにある。
【０００７】
このように構成した本発明の小型ジェット推進艇では、エンジンから排出される排気ガスを船外に排出するための排気装置に含まれるウォーターロック装置を、エンジン室やポンプ室でなく、ステップ台の両側に形成された側壁部の内部に設けている。この側壁部は、従来の小型ジェット推進艇では、発泡材等が詰められた壁部で構成されていた。したがって、本来デッドスペースである側壁部の内部を有効に活用することができる。
【０００８】
また、側壁部内に設けられたウォーターロック装置に対応する分だけエンジン室やポンプ室のスペースを増やすことができ、例えば、燃料タンクの容量を大きくしたり、エンジン室やポンプ室に設置する部品の点数を増やしたりすることができる。また、各部品のレイアウトを自由に変更することもできる。この場合、ウォーターロック装置は、ステップ台の両側の側壁部のうちの一方だけに設けてもよいし、双方に設けてもよい。
【０００９】
本発明に係る小型ジェット推進艇の他の構成上の特徴は、ウォーターロック装置における排気ガスの流れの下流側に接続される排気管が、ウォーターロック装置の前端部から一旦前方に延びたのちに上方から後方に向って曲がって延び、側壁部内におけるウォーターロック装置の上方を通過し、さらに、ステップ台の下方に向って延びていることにある。
【００１０】
この小型ジェット推進艇では、排気管の一部がウォーターロック装置の上方に配置され、排気管の下流側端部がステップ台の下方に向って延びている。したがって、小型ジェット推進艇が転覆して反転した場合には、排気管の端部開口は、排気管の他の部分よりも高い位置になり、排気管内に海水が入り難くなる。また、排気管の一部の上方にウォーターロック装置が位置するようになるため、排気管内に海水が入ってもその海水は、排気管からウォーターロック装置内には、入り難くなる。このため、エンジン側への海水の浸入防止はより確実に行える。また、排気管におけるウォーターロック装置の上方に位置する部分も側壁部の内部に設置されるため、デッドスペースの有効利用が可能になる。
【００１１】
また、本発明に係る小型ジェット推進艇のさらに他の構成上の特徴は、両側壁部の内部にそれぞれウォーターロック装置を設けるとともに、両ウォーターロック装置をステップ台の下方に配置された接続管で接続したことにある。
【００１２】
これによると、両ウォーターロック装置が船体の左右に離間して配置されるため、小型ジェット推進艇が左右に回転して転覆したときの海水の浸入を効果的に防止することができる。すなわち、小型ジェット推進艇が左右に回転して転覆する際に、一方のウォーターロック装置が水面下に位置したときには、他方のウォーターロック装置は水面上に位置するため、海水がエンジン側まで浸入することはない。また、小型ジェット推進艇が反転した際には、ステップ台の下方に配置された接続管が上方に位置するため、一方のウォーターロック装置から他方のウォーターロック装置には海水が流れ難くなる。このため小型ジェット推進艇が転覆しても、エンジン側に海水が浸入することを確実に防止できる。
【００１３】
本発明に係る小型ジェット推進艇のさらに他の構成上の特徴は、接続管を、船体の前後方向に並んで設けられた複数の管で構成したことにある。これによると、各接続管の直径を小さくしても排気ガスが通過する通路の断面積を十分に確保することができるため、ステップ台の高さをあまり高く設定しなくて済む。この接続管は、ステップ台の下方に形成される空間部（ステップ台と船底との間）に配置されるが、この空間部には、エンジンの駆動力をインペラーに伝達するためのクランク軸等が配置されている。このため、接続管は、元々空間部にあるスペースに設置されるか、ステップ台の高さを高くして新たにスペースを設けて設置されるが、ステップ台を高くする場合でも、接続管を複数にすることにより、高くする高さを最小限にすることができる。
【００１４】
また、本発明に係る小型ジェット推進艇のさらに他の構成上の特徴は、両ウォーターロック装置における接続管が接続された部分よりも下方の部分を、細管で接続したことにある。この場合、細管を船体の前後方向に並べて設けた２個の細管で構成することが好ましく、さらに、一方の細管を、中央部が上方に向かって湾曲するように形成し、他方の細管を、中央部が下方に向って湾曲するように形成することが好ましい。
【００１５】
これによると、エンジンや排気装置等を冷却するための冷却水（海水）をウォーターロック装置から船外に排出することができる。この場合、エンジンから吐出される排気ガスによって、ウォーターロック装置内の排気圧が上昇すると、この細管を介してその冷却水をウォーターロック装置の下流側に排出することができる。また、排気ガスは接続管を介して下流側のウォーターロック装置に排出され、下流側のウォーターロック装置内で、冷却水は排気ガスに混合される。そして、冷却水は略気体状態となって排気ガスとともに、船外に排出される。
【００１６】
また、ウォーターロック装置内に海水が入り込んだ場合にも、同様にして、海水は、細管を介してウォーターロック装置の下流側に排出することができる。これによって、ウォーターロック装置内に入り込む冷却水や海水の排出を効果的に行える。この場合、海水と排気ガスとが混合されて泡状になり接続管内で目詰まりが発生することが防止される。これによって、エンジン出力が上がらなくなることが防止される。すなわち、海水が細管を通過し、排気ガスが接続管を通過することによって、エンジン出力を適正な状態にすることができる。
【発明を実施するための最良の形態】
【００１７】
以下、本発明の一実施形態を図面を用いて説明する。図１ないし図３は、本発明にかかる小型ジェット推進艇１０を示している。この小型ジェット推進艇１０では、船体１１がデッキ１１ａとハル１１ｂで構成されており、その船体１１における上部の略中央にグリップを備えた操舵ハンドル１２が設けられ、その後方に運転者が乗るための凹部からなるステップ台１３が設けられている。そして、ステップ台１３の左右両側には、側壁部１４ａ，１４ｂが形成されている。また、操舵ハンドル１２の近傍には、小型ジェット推進艇１０を始動させるためのスタートスイッチ等からなる操作部が設けられている。
【００１８】
船体１１の内部は、前部側のエンジン室１５と後部側のポンプ室１６とに区分けされている。そして、エンジン室１５内における前部側部分の両側には、外部の空気をエンジン室１５内に導くための空気ダクト１７ａ，１７ｂがそれぞれ設けられている。これらの空気ダクト１７ａ，１７ｂは、船体１１の上部からエンジン室１５の底部まで上下に延びるように形成され、デッキ１１ａに設けた防水構造（図示せず）を介して船外の空気を上端部から吸い込み、下端部からエンジン室１５内に導く構成をとっている。
【００１９】
そして、エンジン室１５内の底部前部側には燃料を収容するための燃料タンク１８が設置され、エンジン室１５内の底部中央にはエンジン１９が設置されている。このエンジン１９には、吸気装置２０および排気装置３０が接続されている。エンジン１９は、水冷式の直列４サイクル４気筒エンジンからなっており、図４に示すように、クランク軸２１が収容されたボディシリンダー２２の上部にヘッドシリンダー２３を形成して外郭部が構成されている。
【００２０】
そして、ヘッドシリンダー２３に結着されたシリンダー２３ａの内部には、クランク軸２１に連結されたピストン（図示せず）が上下移動可能な状態で収容されており、このピストンの上下運動がクランク軸２１に伝達されて回転運動になる。また、ヘッドシリンダー２３の上部に形成された各気筒２４は、吸気弁と排気弁とで構成されている。各気筒２４の吸気弁に連通する吸気口は、吸気装置２０に接続され、排気弁に連通する排気口は、排気装置３０に接続されている。吸気弁は、吸気のときに開いて吸気装置２０から供給される燃料と空気との混合ガスをヘッドシリンダー２３内に送り、排気弁は、排気のときに開いてヘッドシリンダー２３から吐出される排気ガスを排気装置３０に送り出す。
【００２１】
吸気装置２０は、吸気ボックス２０ａや吸気ボックス２０ａ内に配設されたスロットルボディ（図示せず）等で構成されており、エンジン１９の上方に配置されている。そして、吸気装置２０は、空気ダクト１７ａ，１７ｂを介して船内に取り込んだ空気を吸引し、その空気をエンジン１９の上部側部分に配置されたスロットルボディに送る。スロットルボディは、各気筒２４内に供給される空気と燃料供給装置（図示せず）を介して燃料タンク１８から送られる燃料との混合気の流量を調節する。
【００２２】
燃料供給装置は、燃料ポンプ、燃料噴射装置等で構成され、燃料ポンプの作動によって、燃料タンク１８から供給される燃料を、燃料噴射装置によって霧状にして気筒２４内に噴射する。この際、燃料は吸気ボックス２０ａから供給される空気と混合され混合気となって気筒２４内に送られる。また、エンジン１９は点火装置（図示せず）を備えており、この点火装置の点火によって混合気は爆発する。この爆発によって、ピストンが上下に移動しその移動によってクランク軸２１が回転駆動される。
【００２３】
排気装置３０は、図５に示すように、各気筒２４の排気口にそれぞれ接続された排気管３１、各排気管３１の下流端に接続された第１マフラー３２、第１マフラー３２の下流端に接続されたリングジョイント３３、リングジョイント３３の下流端に接続された第２マフラー３４および第２マフラー３４の下流端に排気ホース３５を介して接続されたウォーターロック装置３６，３７等を備えている。
【００２４】
排気管３１は、気筒２４の排気口に接続された上流端から斜め下方に向って延び、その下流端が第１マフラー３２に接続されている。第１マフラー３２は、エンジン１９の右舷側側面の下部側部分に沿って配置されており、アルミニウムからなる二重管で構成されている。二重管の両壁部間は冷却水を通すための冷却水路として利用される。また、第１マフラー３２は、後端部（上流端）が閉塞されており、その閉塞した後端部から前方に延びて、前端部は、エンジン１９の前端部に対応する位置に達している。そして、第１マフラー３２の下流端は、進行方向を略９０度変更するように曲がって形成されたリングジョイント３３に接続されている。このリングジョイント３３は、エンジン１９の角部に沿って曲がりながら斜め上方に延びてその下流端は、エンジン１９の前面略中央部に達している。
【００２５】
第２マフラー３４は、ジョイント３３ａを介してリングジョイント３３の下流端に接続されており、エンジン１９の前面に沿って斜め上方に延びたのちに、エンジン１９の左舷側側面における上下方向の略中央部に沿って後方に延びている。この第２マフラー３４も第１マフラー３２と同様、アルミニウムからなる二重管で構成されており、この二重管の両壁部間も冷却水路になっている。そして、第２マフラー３４の下流端は、ジョイント３４ａを介して排気ホース３５の上流端に接続され、排気ホース３５の下流端は、ジョイント３５ａを介してウォーターロック装置３６に接続されている。
【００２６】
ウォーターロック装置３６は、側壁部１４ａ内に設置されており、図５および図６に示すように、平面側および側面側から見た形状が四角形に形成され、後方から見た形状が、図７に示すように、下部３６ａが大きく上部３６ｂが小さくなった略Ｌ形のタンクで構成されている。下部３６ａは、側壁部１４ａ内におけるステップ台１３よりも低い位置に位置し、上部３６ｂは、ステップ台１３よりも高い位置に位置している。
【００２７】
ウォーターロック装置３７は、側壁部１４ｂ内に設置されており、ウォーターロック装置３６を左右対称に設置し、上部３７ｂをウォーターロック装置３６の上部３６ｂよりも上下方向に短くした形状のタンクで構成されている。ウォーターロック装置３７の下部３７ａは、ウォーターロック装置３６の下部３６ａと略同じ大きさに設定されている。また、下部３７ａは、側壁部１４ｂ内におけるステップ台１３よりも低い位置に位置し、上部３７ｂは、ステップ台１３よりも高い位置に位置している。
【００２８】
そして、ウォーターロック装置３６の下部３６ａの上端側部分と、ウォーターロック装置３７の下部３７ａの上端側部分との相対向する部分には、前後方向に水平に並んで接続管３８ａ，３８ｂが設けられている。また、ウォーターロック装置３６の下部３６ａの下端前側部分と、ウォーターロック装置３７の下部３７ａの下端前側部分との相対向する部分には、前後方向に並んで細管３９ａ，３９ｂが設けられている。細管３９ａは、中央部が下方に位置するように湾曲し、細管３９ｂは、中央部が上方に位置するように湾曲している。接続管３８ａ，３８ｂは、エンジン１９側から流れてくる排気ガスをウォーターロック装置３６からウォーターロック装置３７に向って通過させ、細管３９ａ，３９ｂは、ウォーターロック装置３６内に流れてくる冷却水や浸入してきた海水をウォーターロック装置３７に向って通過させる。
【００２９】
ウォーターロック装置３７の前部中央（下部３７ａと上部３７ｂとの境界部分）からは、排気管４０が前方に向って延びている。この排気管４０は、図８に示すように、一旦前方に延びたのちに上方から後方に向って曲がって延び、側壁部１４ｂ内におけるウォーターロック装置３７の上方を通過して、ステップ台１３の下方に向って延びている。そして、排気管４０の下流端部は、ポンプ室１６に設けられた推進機４１を船体１１の本体側と隔離するためのケーシング（図示せず）を貫通して推進機４１の水噴射口に合流している。
【００３０】
また、エンジン１９の後方にはクランク軸２１にカップリング４２を介して連結されたインペラー軸４３がケーシングを貫通して後方のポンプ室１６内に延びている。このインペラー軸４３は、船体１１の船尾に設けられた推進機４１の内部に設けられたインペラーに連結され、エンジン１９の駆動によるクランク軸２１の回転力をインペラーに伝達してインペラーを回転させる。
【００３１】
また、推進機４１は、船体１１の底部に開口する水導入口と船尾に開口する水噴射口とを備えており、水導入口から導入される海水をインペラーの回転により水噴射口から噴射させることにより船体１１に推進力を生じさせる。この推進機４１は、前述したケーシングによって、船体１１の本体側と隔離された状態で船体１１の船尾における底部に取り付けられており、インペラー軸４３は、ケーシングを貫通することによって、エンジン１９側から推進機４１に延びている。
【００３２】
また、エンジン１９の後部側には、エンジン１９に潤滑油を供給するためのオイルタンク４４が設けられている。このオイルタンク４４から供給される潤滑油によってエンジン１９は焼付けなどが防止されて円滑な駆動を行える。また、この小型ジェット推進艇１０は、前述した各装置、特に排気装置３０を主として冷却するための冷却水路を備えている。さらに、本実施形態に係る小型ジェット推進艇１０は、前述した各装置の外に、ＣＰＵ、ＲＯＭ、ＲＡＭおよびタイマ等を含む電気制御装置や各種の電気機器を収容した電装ボックスおよび各種のセンサなど小型ジェット推進艇１０を安全走行させるために必要な各種の装置も備えている。
【００３３】
以上のように構成された小型ジェット推進艇１０を走行させるときには、まず、運転者は、腹ばいの姿勢または正座の姿勢でステップ台１３上に乗り込み、スタートスイッチをオンに操作する。これによって、小型ジェット推進艇１０は走行可能な状態になり、運転者が立った状態で操舵ハンドル１２を操舵するとともに、操舵ハンドル１２のグリップに設けられたスロットル操作子を操作することにより小型ジェット推進艇１０は各操作に応じた所定の方向に所定の速度で走行する。
【００３４】
その際、空気ダクト１７ａ，１７ｂを介して船外の空気が吸気ボックス２０ａに吸引され、その空気はスロットルボディ等を通過して燃料タンク１８から送られる燃料と混合され、空気と燃料との混合気が各気筒２４に供給される。各気筒２４に供給された混合気は、点火装置の点火により気筒２４内で爆発し、エンジン１９を駆動させる。そのエンジン１９の駆動によるクランク軸２１の回転力がインペラー軸４３に伝達され推進機４１を駆動させる。
【００３５】
また、混合気の爆発によって気筒２４内に生じた排気ガスは、各気筒２４の排気口に連結された排気管３１から、下方に設置された第１マフラー３２に排出される。そして、排気ガスは、第１マフラー３２からリングジョイント３３、第２マフラー３４および排気ホース３５を介してウォーターロック装置３６に送られる。さらに、排気ガスは、接続管３８ａ，３８ｂ、ウォーターロック装置３７および排気管４０を介して推進機４１の水噴射口に送られる。そして、水噴射口から船外に噴射される海水とともに船外に排出される。
【００３６】
また、この際、前述した各装置は、各ホースで構成される冷却水路に、冷却水を供給することによって冷却され、過剰に加熱されることが防止される。これによって、各装置は適正な状態を維持しながら作動する。冷却水としては海水が用いられ、この海水は、船体１１の後尾に設けられたジェットポンプから船内に吸引される。ジェットポンプから取り込まれた冷却水は、各ホースを介して、エンジン１９、吸気装置２０、排気装置３０の第１マフラー３２や第２マフラー３４およびオイルタンク４４等に送られそれらの装置を冷却する。
【００３７】
各部分を冷却した冷却水は所定の部分から船外に放出されるが、冷却水の一部は、排気ホース３５およびウォーターロック装置３６等を通過して船外に放出される。この場合、ウォーターロック装置３６に入った冷却水は、細管３９ａ，３９ｂを通ってウォーターロック装置３７に流れていく。そして、ウォーターロック装置３７内で、接続管３８ａ，３８ｂから流れてくる排気ガスと混合されて気体状態になって、排気管４０から推進機４１の水噴射口に流れていく。
【００３８】
小型ジェット推進艇１０が通常の走行状態であるときには、排気管４０は推進機４１の水噴射口からウォーターロック装置３７の上方に向かって延びたのちにウォーターロック装置３７の前面に連通しているため、海水が水噴射口から逆流してウォーターロック装置３７内に浸入することはない。また、走行中に、小型ジェット推進艇１０が転覆した場合には、推進機４１の水噴射口が他の部分よりも高い位置になるため、海水は、排気管４０内に入り難くなる。
【００３９】
また、転覆によって船体１１が回転する際に、排気管４０内に海水が入った場合でも、ウォーターロック装置３６，３７を接続する接続管３８ａ，３８ｂが高い位置になるため、海水の浸入はウォーターロック装置３７までで止まり、エンジン１９側まで浸入することはない。これによって、小型ジェット推進艇１０は、エンジン１９側に海水が浸入して走行不良を生じるといったことがなく、良好な走行状態を維持することができる。
【００４０】
このように、本実施形態による小型ジェット推進艇１０では、ウォーターロック装置３６，３７を、エンジン室１５やポンプ室１６でなく、ステップ台１３の両側に形成された側壁部１４ａ，１４ｂの内部にそれぞれ設けているため、エンジン室１５やポンプ室１６の空スペースを増やすことができる。これによって、燃料タンク１８の容量を大きくすることができる。また、エンジン室１５やポンプ室１６に設置する部品の点数を増やしたり、電装ボックスやオイルタンク４４等の各部品のレイアウトを自由に変更したりすることもできる。この場合、各装置間の間隔を大きく設定して熱が伝わり難くしたり、各装置間に断熱材を設置したりすることもできる。
【００４１】
また、２個のウォーターロック装置３６，３７をそれぞれ離間させて、側壁部１４ａ，１４ｂ内に設けているため、小型ジェット推進艇１０が左右に回転して転覆する際には、ウォーターロック装置３６が水面下に位置したときには、ウォーターロック装置３７は水面上に位置し、ウォーターロック装置３７内に海水は入らない。また、ウォーターロック装置３７が水面下に位置したときには、ウォーターロック装置３６は水面上に位置するため、ウォーターロック装置３６内に海水は入らない。このため、海水の浸入は、ウォーターロック装置３７で止まり海水がエンジン１９側まで浸入することは防止される。
【００４２】
また、ウォーターロック装置３６，３７を接続する接続管３８ａ，３８ｂをステップ台１３の下方に配置しているため、小型ジェット推進艇１０が反転した際には、接続管３８ａ，３８ｂが上方に位置するようになる。このため、ウォーターロック装置３６からウォーターロック装置３７またはウォーターロック装置３７からウォーターロック装置３６には海水が流れ難くなる。この結果、小型ジェット推進艇１０が転覆しても、エンジン１９側に海水が浸入することを確実に防止できる。さらに、接続管３８ａ，３８ｂを２個で構成しているため、接続管３８ａ，３８ｂを取り付けるための上下方向のスペースを小さくすることができ、ステップ台１３の高さを高くする必要がなくなる。
【００４３】
また、排気管４０が、ウォーターロック装置３７の前面から一旦前方に延びたのちに上方に延び、側壁部１４ｂ内におけるウォーターロック装置３７の上方を通過して後方に延び、さらに、ステップ台１３の下方に設置されたポンプ室１６内に向って延びるというように複雑な形状に形成されている。したがって、排気管４０内に海水が入ってもその海水は、排気管４０からウォーターロック装置３７内には浸入できなくなる。このため、エンジン１９側への海水の浸入防止はより確実に行える。また、ウォーターロック装置３７だけでなく、排気管４０の大部分も側壁部１４ｂ部に設置されるため、さらにエンジン室１５やポンプ室１６のスペースに余裕が生じ、空スペースの有効利用が可能になる。
【００４４】
また、ウォーターロック装置３６，３７の下端部分に、冷却水を外部に向かって送り出すための細管３９ａ，３９ｂを設けている。これによって、ウォーターロック装置３６に入る冷却水の排出を効果的に行えるとともに、ウォーターロック装置３７側から海水が入り込んでもその海水を排気ガスとともに効果的に排出できる。また、細管３９ａが下方に向って湾曲し、細管３９ｂが上方に向って湾曲しているため、小型ジェット推進艇１０の傾斜角度等に関係なく常時良好な排水効果を奏し得る。
【００４５】
また、本発明にかかる小型ジェット推進艇は、前述した実施形態に限定するものでなく、適宜変更実施が可能である。例えば、前述した小型ジェット推進艇１０は、２個のウォーターロック装置３６，３７を備えているが、ウォーターロック装置は側壁部１４ａ，１４ｂのどちらか一方だけに設けることもできる。側壁部１４ａの内部だけに、ウォーターロック装置を設ける場合には、そのウォーターロック装置をウォーターロック装置３７のように、上部が小さなものとし、側壁部１４ａ内におけるウォーターロック装置の上方に排気管を設置できるようにする。
【００４６】
この場合、接続管３８ａ，３８ｂや細管３９ａ，３９ｂは不要となる。また、側壁部１４ｂの内部だけに、ウォーターロック装置３７を設けることもできる。この場合、側壁部１４ａ内には、発泡材を充填してもよいし、他の部品を設置してもよい。また、接続管３８ａ，３８ｂや細管３９ａ，３９ｂは、２個に限らず１個で構成してもよいし、３個以上の複数にしてもよい。さらに、その他の部分の構成についても本発明の技術的範囲内で変更実施が可能である。
【図面の簡単な説明】
【００４７】
【図１】本発明の一実施形態に係る小型ジェット推進艇を示す斜視図である。
【図２】図１に示した小型ジェット推進艇の内部を示す側面図である。
【図３】図１に示した小型ジェット推進艇の内部を示す平面図である。
【図４】エンジンに接続された吸気装置と排気装置とを示す側面図である。
【図５】図４の平面図である。
【図６】図５の６−６断面図である。
【図７】図２の７−７断面図である
【図８】図５の８−８断面図である。
【符号の説明】
【００４８】
１０…小型ジェット推進艇、１１…船体、１２…操舵ハンドル、１３…ステップ台、１４ａ，１４ｂ…側壁部、１５…エンジン室、１６…ポンプ室、１９…エンジン、３０…排気装置、３６，３７…ウォーターロック装置、３８ａ，３８ｂ…接続管、３９ａ，３９ｂ…細管、４０…排気管。
【図１】
2005119460.tif 000003
【図２】
2005119460.tif 000004
【図３】
2005119460.tif 000005
【図４】
2005119460.tif 000006
【図５】
2005119460.tif 000007
【図６】
2005119460.tif 000008
【図７】
2005119460.tif 000009
【図８】
2005119460.tif 000010